(57)【特許請求の範囲】
【請求項１】
次の（Ａ）又は（Ｂ）に記載の整体用器具であって、当該整体用器具における高さ位置調節手段は、
前記フレームの少なくとも一部を構成している一対の支柱の間に配置されたホルダーと、楔作動空間を介して対応する前記支柱へ向けて進退可能な状態で前記ホルダーへ可動に保持された一対のロック部材と、前記楔作動空間に上下方向へ可動に配置され前記ホルダーの上下に突出する操作ロッドを有する楔状部材とを具備し、
前記各支柱とそれらに相対するロック部材の対向面には互いに噛合う小さな多数の凹凸を有し、
前記各ロック部材は、前記楔状部材が下降したとき対応する支柱に対して前進接触し、前記楔状部材が上昇したとき対応する支柱から後退離反する状態に構成されている、
ことを特徴とする整体用器具。
（Ａ）．床面上に立てられた状態で使用されるフレームの所定の高さ位置へ高さ位置調節手段を有する支持部材を設け、当該支持部材に左右方向へ往復スライド可能にバーを支持させ、当該バーの一端部へ取り付けた押圧子を押圧手段により当該バーのスライド方向に沿って体の所要の箇所に押し当てるように構成されている。
（Ｂ）．床面上に立てられた状態で使用されるフレームの所定の高さ位置へ高さ位置調節手段を有する支持部材を設け、当該支持部材に前記フレームの側方へ突出して上下方向へスイング可能なバーをシーソー状に支持させ、当該バーの先端部又は先端部近傍へ取り付けた押圧子を押圧手段により押し下げて体の所要の箇所に押し当てるように構成されている。
【請求項２】
前記楔作動空間の下部は下方に向かってロック部材間の間隔が徐々に狭くなる傾斜面になっており、前記楔状部材は前記傾斜面に接触する部分が断面凸円弧状に形成されている請求項１に記載の整体用器具。
【請求項３】
前記各ロック部材には前記楔状部材が上昇したとき当該楔状部材と接触又は近接する状態に磁石が組み込まれており、前記楔状部材は磁性材料又は前記ロック部材に組み込まれた磁石とは極性を逆にする磁石である、請求項１又は２に記載の整体用器具。
【請求項４】
前記各支柱とそれらと相対するロック部材の各対向面における多数の凹凸は、ともにラック形態であって、前記各支柱とそれらと相対するロック部材の各対向面へラック形態の合成樹脂製シートを定着することによりそれぞれ構成されており、相対するラック形態の合成樹脂製シートにおいて、一方の合成樹脂シートにおける歯先部分は断面円弧状であり、他方の合成樹脂シートにおける歯先部分は断面三角形状である、請求項１〜３のいずれかに記載の整体用器具。
【発明の詳細な説明】
【技術分野】
【０００１】
本発明は整体用器具に関するものであり、特にトリートメントバー（治療用バー）の支持レベル調整のための構成を非常に簡単にした整体用器具に関するものである。
【背景技術】
【０００２】
発明者らは、歪みのあるヒトの骨を軟骨も含めて時間をかけて正常な姿勢に戻し、簡単には歪まない健全な骨格構造として矯正することができる整体用器具を提案している（後記特許文献１）。
その整体用器具の一つは、床面上に立てられた状態で使用されるフレームの所定の高さ位置へ支持部材を設け、当該支持部材に前記フレームの側方へ突出して上下方向へスイング可能なバーをシーソー状に支持させ、当該バーの先端部又は先端部近傍へ取り付けた押圧子を押圧手段により押し下げて体の所要の箇所に押し当てるように構成されている。
【０００３】
その整体用器具の他の一つは、床面上に立てられた状態で使用されるフレームの所定の高さ位置へ支持部材を設け、当該支持部材に左右方向へ往復スライド可能にバーを支持させ、当該バーの一端部へ取り付けた押圧子を押圧手段により当該バーのスライド方向に沿って体の所要の箇所に押し当てるように構成されている。
【０００４】
前記整体用器具によれば、矯正する骨の位置に応じて患者をベッドの上にうつ伏せ状態又は仰臥状態とし、この状態で患者の目標とする治療部分（骨の歪みがある位置）に例えば重り等の押圧手段により前記押圧子を押し当て、所定時間（例えば１５〜２０分程度）この状態を持続する。
所定時間経過後に歪みが矯正されていれば他の部分に移行する。所定時間経過前に患者が治療位置に痛みを感じたときは既に歪みが矯正されているので他の治療位置に移る。このようにして骨の歪みを徐々に正常な状態に戻すことにより、容易には歪まない（歪みが戻り難い）健全な骨格構造に矯正することができる。
【０００５】
前記各形態の整体用機器において、支持部材は以下のとおり高さ位置を調節することができるようになっている。
支持部材は、前記フレームへ垂直に設置された一対のガイドポストへスライド可能に保持され、前記各ガイドポストがルーズに貫通する収容ケースと、当該支持部材を一方のガイドポストに止めるロック手段を備えている。
前記ロック手段は、前記各ガイドポストがルーズに貫通する収容ケース内に設置された梃子状板と当該梃子状板を作動させるカムとから構成されている。
前記梃子状板は、一方のガイドポストがルーズに挿通される貫通孔を有し、一端部を中心として前記一方のガイドポストが前記貫通孔に対してルーズなロック解除状態から当該ガイドポストが前記貫通孔内にロックされるロック状態まで傾斜する範囲を揺動可能であって、常時ロック解除状態に復帰する方向へばね付勢されている。
前記カムは、当該カムに取り付けられ前記収容ケース外に突出した軸の端部の操作片を操作して所定角度正逆に回転させることにより、前記梃子状板を前記揺動範囲内で揺動させるように構成されている。
【０００６】
したがって、前記の整体用器具によれば、前記操作片を通じてカムを回転操作して、前記梃子状板をロック解除状態として支持部材の所望のレベルを選び、当該所望レベルの位置で前記カムを回転操作して前記梃子状板をロック状態に傾斜させると、支持部材は当該ロック状態としたレベルに設定される。
以上のように発明者らが既に提案している前記整体用器具は、トリートメントバーの高さ位置は、前記カムを操作片を通じて回転強操作するだけで極めて簡単に調節することができたが、ガイドポスト，収容ケース，梃子状部材，カム，ばね及びこれらを支持する各部材を必要とし、構造が複雑であった。
したがってまた、それらは高価であった。
【特許文献１】特開２００５−２８７７６６号公報
【発明の開示】
【発明が解決しようとする課題】
【０００７】
本発明の課題は、前記のような整体用器具におけるトリートメントバーの高さ位置調整手段の簡略化にあり、その目的は、前記スライドバーやシーソーバーの支持部材の高さ位置調節手段が極めて簡単な構成でかつより廉価である整体用器具を提供することにある。
【課題を解決するための手段】
【０００８】
本発明に係る整体用器具は、前記課題を達成するため、次の（Ａ）又は（Ｂ）に記載の整体用器具であって、当該整体用器具における高さ位置調節手段は、前記フレームの少なくとも一部を構成している一対の支柱の間に配置されたホルダーと、楔作動空間を介して対応する前記支柱へ向けて進退可能な状態で前記ホルダーへ可動に保持された一対のロック部材と、前記楔作動空間に上下方向へ可動に配置され前記ホルダーの上下に突出する操作ロッドを有する楔状部材とを具備し、前記各支柱とそれらに相対するロック部材の対向面には互いに噛合う小さな多数の凹凸を有し、前記各ロック部材は、前記楔状部材が下降したとき対応する支柱に対して前進接触し、前記楔状部材が上昇したとき対応する支柱から後退離反する状態に構成されていることを最も主用な特徴とするものである。
（Ａ）．床面上に立てられた状態で使用されるフレームの所定の高さ位置へ高さ位置調節手段を有する支持部材を設け、当該支持部材に左右方向へ往復スライド可能にバーを支持させ、当該バーの一端部へ取り付けた押圧子を押圧手段により当該バーのスライド方向に沿って体の所要の箇所に押し当てるように構成されている。
（Ｂ）．床面上に立てられた状態で使用されるフレームの所定の高さ位置へ高さ位置調節手段を有する支持部材を設け、当該支持部材に前記フレームの側方へ突出して上下方向へスイング可能なバーをシーソー状に支持させ、当該バーの先端部又は先端部近傍へ取り付けた押圧子を押圧手段により押し下げて体の所要の箇所に押し当てるように構成されている。
【０００９】
本発明に係る整体用器具によれば、その整体用器具としての基本的な構成は前記従来の整体用器具と同じであるから、前記従来の整体用器具と同様に使用されかつその基本的な作用効果もほぼ同様である。
本発明に係る整体用器具における高さ位置調節手段によれば、操作ロッドを押し下げ又は引き下げると楔状部材が両側のロック部材を押して対応する各支柱のへ前進接触させ、両者間の多数の凹凸が噛合って各ロック部材がそのレベルで各支柱へロックされる。他方、操作ロッドを押し上げ又は引き上げると、楔状部材の両側のロック部材が対応する各支柱から後退離反するので、両者間で噛合っていた多数の凹凸が離反し各ロック部材がロック解除されてフリーになる。
【００１０】
本発明に係る整体用器具によれば、操作ロッドを操作して各ロック部材の対応する支柱へのロック状態を解除し、ホルダーを含む支持部剤を手に持って所望の高さ位置に保持し、この状態で操作ロッドを操作して楔状部材を下降させるだけで前記支持部材の高さ位置が固定される。すなわち、操作ロッドを通じて楔状部材を上昇又は下降させるだけで、所定レベルで支持部材のロックを解除したりロックしたりすることができるので、操作が一層簡単である。
また、高さ位置調節手段の構成部品点数が少なくかつ構成が簡単であるから、支持部材の高さ位置調節手段をより廉価で提供することができる。
【発明を実施するための最良の形態】
【００１１】
以下図面を参照しながら、本発明に係る整体用器具の最良実施の形態を説明する。
第１実施形態
図１は本発明に係る整体用器具の第１実施形態を示す部分正面図、図２は図１の整体用器具における高さ位置調節手段の解放状態（非ロック状態）の部分拡大断面図、図３は図１の整体用器具における高さ位置調節手段のロック状態における部分拡大断面図、図４は図２の高さ位置調節手段の中央部縦断右側面図、図５は各支柱とそれらに相対するロック部材の対向面における多数の小さな噛合い凹凸形状の実施形態を示す部分拡大断面図、図６は図１の整体用器具における押圧子の部分拡大断面図、図７は図６の押圧子の平面図である。
【００１２】
床面Ｆ上に立てられた状態で使用されるフレーム１の所定の高さ位置へ高さ位置調節手段３を有する支持部材２を設け、当該支持部材２に左右方向へ往復スライド可能にバー４を支持させ、当該バー４の一端部へ取り付けた押圧子５を押圧手段６により当該バー４のスライド方向に沿って体の所要の箇所に押し当てるように構成されている。
フレーム１はアルミ合金製の角パイプからなる垂直な四本の支柱１０と、これらの支柱１０を連結した連結部材１１，１２と、水平な四本のパイプを方形に連結した水平ベース１３とを具備し、各支柱１０は水平ベース３上に固定されたベース板１４の上にねじ止めされている。水平ベース１３の両サイドの丸パイプにはゴム又は合成樹脂製のすべり止めパイプ１３ａが装着されている。
【００１３】
ベース板１４の上には保持部材１５が取り付けられ、この保持部材１５には左右方向へセットバー１６が貫通状で軸方向へ可動に保持されている。このセットバー１６は、図示されていない治療ベッドの傍にフレーム１を直立させたとき、当該治療ベッドのベッドフレームへ前記セットバー１６の先端部に取り付けられたゴムブロック１６ａを引っ掛け、蝶ねじ１５ａを締め、当該セットバー１６を介してフレーム１を安定して直立させるために使用される。
【００１４】
図２，３及び図４で示すように、アングル状の支持部材２は中間部材２１（図４）を介して高さ位置調節手段３のホルダー３０へ取り付けられており、支持部材２の上に適数のベアリングユニット２０を並べて取り付け、バー４はベアリングユニット２０上をそれらに適合するレール部４０を介して滑走（スライド）するように支持されている。
【００１５】
この実施形態において、押圧手段６はウエイトである。
バー４の基端部側（図１の左端側）部分には位置を選択して当該バー４へ固定することができるスライダ６１を取り付け、このスライダ６１に取り付けたロープチャック６２へワイヤロープ６０の一端を保持させている。そして、支持部材２の下部に取り付けたプーリ６３を介してワイヤロープ６０をフレーム１に沿って昇降できるように垂れ下げ、このワイヤロープ６０の他端部へウエイトを保持するウエイトホルダ６４を取り付けている。
したがって、ウエイトの重量を適宜選択することにより、バー４を図１の左方向から右方向へ押し出し、バー４の先端部に取り付けられた押圧子５を患者の体の所望部分へ押付けると、その押圧力により体の当該部分が刺激される。
【００１６】
図６及び図７で示すように、この実施形態の押圧子５は円板状であって径方向から突入した保持バー５０の先端部へ取り付けられ、角パイプ状のバー４の先端部に充填されたナット状ブロック４０のナット状部へ保持バー５０のボルト部５１をねじ込み、当該ボルト部５１へロックナット５２をねじ締めて押圧子５をバー４の先端部へ回らない状態に固定している。
すなわち、押圧子５は保持バー５０のねじれ方向へ所望角度回し、患者の体５ａ（図６）への接触部分に対するねじれ角度を選択して固定することができるように構成することにより、押圧手段６の押圧力が図６の矢印イ方向だけでなく、矢印ロ方向へも作用させることができるようになっている。
【００１７】
前記高さ位置調節手段３は、図２及び図３のように、前記フレーム１の一部を構成している一対の支柱１０，１０の間に配置されたホルダー３０と、楔作動空間３０ａを介して対応する前記支柱１０，１０へ向けて進退可能な状態で前記ホルダー３０へ可動に保持された一対のロック部材３１，３１と、前記楔作動空間３０ａに上下方向へ可動に配置され前記ホルダー３０の上下に突出する操作ロッド３２ａを有する楔状部材３２とから構成されている。
前記各支柱１０，１０とそれらに相対するロック部材３１，３１の対向面には互いに噛合う小さな多数の凹凸１０ａ，３１ａを有し、前記各ロック部材３１，３１は、前記楔状部材３２が下降したとき対応する支柱１０に対して前進接触し、前記楔状部材３２が上昇したとき対応する支柱１０から後退離反する状態に構成されている。
【００１８】
この実施形態において、前記楔作動空間３０ａの下部は、図２及び図３で示すように下方に向かってロック部材３１，３１間の間隔が徐々に狭くなるような傾斜面になっており、他方楔状部材３２は前記傾斜面に接触する部分が断面凸円弧状に形成されている。
したがって、操作ロッド３２ａの上下の端部に設けられたハンドル３２ｂ又は３２ｃにより、操作ロッド３２ａを通じて楔状部材３２を図２の状態から図３の状態に押し下げ又は引き下げると、ロック状部材３１，３１はそれぞれ対応する支柱１０，１０へ向かって前進接触し、小さな多数の凹凸１０ａ，３１ａが互いに噛合って、各ロック部材３１及び支持部材２はその高さ位置でフレーム１へロックされる。
【００１９】
各ロック部材３１，３１には、前記楔状部材３２が上昇したとき当該楔状部材３２と接触又は近接する状態に磁石３１ｃ，３１ｃが組み込まれており、他方楔状部材３２は磁性材料（鉄）又は前記ロック部材に組み込まれた磁石３１ｃとは極性を逆にする磁石により構成されている。
したがって、ハンドル３２ｂ又は３２ｃにより、操作ロッド３２ａを通じて楔状部材３２を図３の状態から図２の状態に押し上げ又は引き上げると、ロック状部材３１，３１はそれぞれ対応する支柱１０，１０から後退離反し、小さな多数の凹凸１０ａ，３１ａ相互の噛合いが解除され、各ロック部材３１のロックも解除される。
【００２０】
前記各支柱１０とそれらと相対するロック部材３１の各対向面における多数の凹凸部１０ａ，３１ａは、図５のようにともにラック形態であって、前記各支柱１０とそれらと相対するロック部材３１の各対向面へラック形態の合成樹脂製シート１０ｂ，３１ｂを定着することによりそれぞれ構成されている。
また、相対するラック形態の合成樹脂製シート１０ｂ，３１ｂにおいて、いずれかの一方の合成樹脂シート１０ｂにおける歯先部分は断面円弧状であり、他方の合成樹脂シート３１ｂにおける歯先部分は断面三角形状になっている。
【００２１】
前記実施形態の整体用器具によれば、操作ロッド３２ａを通じて各ロック部材３１の対応する支柱１０へのロック状態を解除し、ホルダー３０を含む支持部剤２を手に持って所望の高さ位置に保持し、この状態で操作ロッド３２ａを操作して各楔状部材３１を下降させるだけで前記支持部材２の高さ位置が固定される。すなわち、操作ロッド３２ａを通じて楔状部材３２を上昇又は下降させるだけで、所定レベルで支持部材２のロックを解除したりロックしたりすることができるので、操作が一層簡単である。
また、高さ位置調節手段３の構成部品点数が少なくかつ構成が簡単であるから、高さ位置調節手段３をより廉価で提供することができる。
【００２２】
高さ位置調節手段３の楔作動空間３０ａの下部は、下方に向かってロック部材３１，３１間の間隔が徐々に狭くなるような傾斜面になっており、他方楔状部材３２は前記傾斜面に接触する部分が断面凸円弧状に形成されているので、ロック及びロック解除の作動が一層円滑である。
【００２３】
各ロック部材３１，３１には、前記楔状部材３２が上昇したとき当該楔状部材３２と接触又は近接する状態に磁石３１ｃ，３１ｃが組み込まれており、他方楔状部材３２は磁性材料（鉄）又は前記ロック部材に組み込まれた磁石３１ｃとは極性を逆にする磁石により構成されているので、ロックの解除操作が一層円滑で簡単である。
【００２４】
また、相対するラック形態の合成樹脂製シート１０ｂ，３１ｂにおいて、いずれかの一方の合成樹脂シート１０ｂにおける凹凸の歯先部分は断面円弧状であり、他方の合成樹脂シート３１ｂにおける凹凸の歯先部分は断面三角形状になっているので、相互の凹凸１０ａ，３１ａにおける凸部相互が突き当った場合、両者は互いに滑って噛合い方向へ動くのでより円滑に作動する。
【００２５】
第２実施形態
図８は本発明に係る整体用器具の第２実施形態を示す概略正面図、図９は図８の器具の部分拡大平面図、図１０は図９の矢印Ａ−Ａに沿う断面図である。
なお、第１実施形態の整体用器具を同じ構成部分については、同じ符号を付して説明を省略する。
【００２６】
この整体用器具は、床面Ｆ上に立てられた状態で使用されるフレーム１の所定の高さ位置へ高さ位置調節手段３を有する支持部材２を設け、当該支持部材２に前記フレーム１の側方へ突出して上下方向へスイング可能なバー７をシーソー状に支持させ、当該バー７の先端部又は先端部近傍へ取り付けた押圧子５を押圧手段６により押し下げて体の所要の箇所に押し当てるように構成されている。
【００２７】
高さ位置調節手段３のホルダー３０には、各支柱１相互の間に位置するように中間部材２１（図９）を介してアングル状の支持部材２が取り付けられている。
この支持部材２の上には、シーソー受台２２が直立状に設置されこのシーソー受台２２には先端が鋭利な受板２３が取り付けられ、この受板２３には下面にラック状のゴムシート７０が接着されたバー７が支持され、当該バー７はフレーム１の側方へ突出して上下方向へスイングするように構成されている。
【００２８】
高さ位置調節手段３のホルダー３０が設置されている反対側の支柱１０，１０には、アングル状平断面のガイド部材１７，１７が上下方向に沿って取り付けられ、各ガイド部材１７には摩擦力の大きい合成樹脂製のシートからなる摩擦シート２４（図９，１０）がそれぞれ接着され、これらの摩擦シート２４はバー７の一方の側面へ接触し、当該バー７へ軽い制動を加えている。
他方、シーソー受台２２にはバー７の他方の側面へ接触するように、例えばポリアセタールのような定摩擦性合成樹脂からなる定摩擦性シート２５（図９）が接着されている。
したがって、バー７は僅かな重力により過敏にシーソー作動することがない程度に制動された状態に保たれている。
【００２９】
押圧子５は、図６と同じ要領によりをバー７の先端部へ下向きに取り付けられ、押圧子５が取り付けられている側の上部に設けられたウエイト受け６５へ載せられたウエイトからなる押圧手段６により、患者の体の所望部分に押圧される。
患部に対する刺激の程度は、押圧手段６であるウエイトの大きさと受板２３から押圧子５までの長さにより調整される。
【００３０】
この実施形態の整体用器具は、バー７をシーソー状態に支持する構成が非常に簡単であるので、一層廉価で提供することができる。また、バー７は摩擦シート２４により適度に制動することにより、より安定して作動する。
高さ位置調節手段３の構成やそれによる作用効果は、第１実施形態の整体用器具と同様であるのでそれらの説明は省略する。
【００３１】
前記各実施形態において、押圧子５には体に接触する部分が適当な大きさの球状のものを用いることができる。この場合は、保持バー５０のねじれ方向にねじれ角度を変化させることができなくても差し支えない。
【図面の簡単な説明】
【００３２】
【図１】本発明に係る整体用器具の第１実施形態を示す部分正面図である。
【図２】図１の整体用器具における高さ位置調節手段の解放状態（非ロック状態）の部分拡大断面図である。
【図３】図１の整体用器具における高さ位置調節手段のロック状態における部分拡大断面図である。
【図４】図２の高さ位置調節手段の中央部縦断右側面図である。
【図５】各支柱とそれらに相対するロック部材の対向面における多数の小さな噛合い凹凸形状の実施形態を示す部分拡大断面図である。
【図６】図１の整体用器具における押圧子の部分拡大断面図である。
【図７】図６の押圧子の平面図である。
【図８】本発明に係る整体用器具の第２実施形態を示す概略正面図である。
【図９】図８の器具の部分拡大平面図である。
【図１０】図９の矢印Ａ−Ａに沿う断面図である。
【符号の説明】
【００３３】
１  フレーム
１０  支柱
２  支持部材
２０  ベアリングユニット
２２  シーソー受台
３  高さ位置調節手段
３０  ホルダー
３０ａ  楔作動空間
３１  ロック部材
１０ａ，３１ａ  凹凸
３１ｂ  磁石
３２  楔
３２ａ  操作ロッド
４，７  バー
５  押圧子
６  押圧手段
【図１】
0005102661.tif 000002
【図２】
0005102661.tif 000003
【図３】
0005102661.tif 000004
【図４】
0005102661.tif 000005
【図５】
0005102661.tif 000006
【図６】
0005102661.tif 000007
【図７】
0005102661.tif 000008
【図８】
0005102661.tif 000009
【図９】
0005102661.tif 000010
【図１０】
0005102661.tif 000011